(57)【要約】【課題】小さな露受容器であっても吸熱部から落下する水滴をこぼさずに受けることができる冷蔵庫を提供すること。【解決手段】冷蔵庫本体２の開口部６に扉体22を開閉自在に取り付け、前記冷蔵庫本体２の内容器４内に吸熱部11を露出した冷蔵庫１において、前記吸熱部11の下端近傍を略垂直な板状部11Ａとし、この板状部11Ａの直下に露受容器９を設け、この露受容器９の後部上縁９Ａの高さＨを前記内容器４の下面から板状部11Ａ下端までの距離Ｌよりも短く形成することで、前記吸熱部11表面に凝縮した水分が前記板状部11Ａから狭い範囲で落下して前記露受容器９内に溜められると共に、この露受容器９を取り外す際に、この露受容器９と前記板状部11Ａとが接触せず溜められた水をこぼさないようにできる。【選択図】  図２
2004205121.tif 000002
【特許請求の範囲】
【請求項１】
開口部を有する冷蔵庫本体と、この冷蔵庫本体の開口部に開閉自在に取り付けられる扉体と、前記冷蔵庫本体の内容器内に露出して設けられる吸熱部とを有する冷蔵庫において、少なくとも前記吸熱部の下端近傍を略垂直な板状部とし、この板状部の下方に露受容器を設けると共に、この露受容器の後部の縁の最低高さを前記内容器の下面から板状部の下端までの距離以下としたことを特徴とする冷蔵庫。
【請求項２】
前記内容器下面の前記板状部と対向する位置近傍に前記露受容器を位置決めする容器位置決め部を形成したことを特徴とする請求項１記載の冷蔵庫。
【請求項３】
前記容器位置決め部が凹状に形成されていることを特徴とする請求項２記載の冷蔵庫。
【発明の詳細な説明】
【０００１】
【発明が属する技術分野】
本発明は冷蔵庫に関するものであり、特にその結露対策に関するものである。
【０００２】
【発明が解決しようとする課題】
従来この種の冷蔵庫としては、例えば以下のものが知られている。
【０００３】
【実用新案文献１】
実開平５−９４６８６号
【０００４】
上記考案は、庫内の冷却器（吸熱部）の下方に露受皿（露受容器）を配置した冷蔵庫に関するものである。そして、この冷蔵庫を使用することによって前記冷却器表面に空気中の水分が結露し、水滴となって冷却器から落下したとしても、前記露受皿によって受けることができる。
【０００５】
しかしながら、上記考案においては、冷却効率を高めるために冷却器の表面積が広く形成されているため、冷却器から落下する水滴を受けるための露受皿も大きく形成する必要があった。
【０００６】
本発明は以上の問題点を解決し、小さな露受容器であっても吸熱部から落下する水滴をこぼさずに受けることができる冷蔵庫を提供することを目的とする。
【０００７】
【課題を解決するための手段】
本発明の請求項１に記載の冷蔵庫は、開口部を有する冷蔵庫本体と、この冷蔵庫本体の開口部に開閉自在に取り付けられる扉体と、前記冷蔵庫本体の内容器内に露出して設けられる吸熱部とを有する冷蔵庫において、少なくとも前記吸熱部の下端近傍を略垂直な板状部とし、この板状部の下方に露受容器を設けると共に、この露受容器の後部の縁の最低高さを前記内容器の下面から板状部の下端までの距離以下としたものである。
【０００８】
本発明は以上のように構成することにより、前記吸熱部表面に凝縮した水分が略垂直の前記板状部から狭い範囲で落下し、この板状部の下方に設けられた前記露受容器内に溜められると共に、この露受容器を取り外す際に、この露受容器と前記板状部とが接触しない。
【０００９】
また、本発明の請求項２に記載の冷蔵庫は、請求項１において、前記内容器下面の前記板状部と対向する位置近傍に前記露受容器を位置決めする容器位置決め部を形成したものである。
【００１０】
本発明は以上のように構成することにより、前記露受容器が前記板状部の直下に位置決めされる。
【００１１】
更に、本発明の請求項３に記載の冷蔵庫は、請求項２において、前記容器位置決め部が凹状に形成されているものである。
【００１２】
本発明は以上のように構成することにより、凝縮して前記板状部から落下した水が前記露受容器から溢れたとしても、前記容器位置決め部に溜められる。
【００１３】
【発明の実施形態】
以下、本発明の第１の実施形態について、図１及び図３に基づいて説明する。１は冷蔵庫である。この冷蔵庫１を構成する冷蔵庫本体２は、鋼製の外殻体３と合成樹脂製の内容器４との間に発泡ウレタン等の断熱材５を充填して形成されている。また、前記冷蔵庫本体２は、正面側に開口部６が形成されていると共に、背面側に後述する冷却機構10を取り付けるための取付孔７が形成されている。更に、前記内容器４の底部４Ａの奥には、凹状の容器位置決め部８が形成されていると共に、この容器位置決め部８には露受容器９が載置可能に構成されている。なお、前記容器位置決め部８は、前記内容器４の幅方向に形成されていると共に、前記露受容器９は幅方向に長く且つ前記容器位置決め部８の幅よりも短く形成されている。更に、前記露受容器９の後部上縁９Ａは、ほぼ水平に形成されている。
【００１４】
前記内容器４内には、冷却機構10が取り付けられている。この冷却機構10は、アルミニウム製の吸熱部11と、この吸熱部11に伝熱的に接触して固定されたアルミニウム製の第一の伝熱ブロック12と、この第一の伝熱ブロック12に吸熱側が伝熱的に接触した第一のサーモモジュール13と、この第一のサーモモジュール13の放熱側に伝熱的に接触したアルミニウム製の第二の伝熱ブロック14と、この第二の伝熱ブロックに吸熱側が伝熱的に接触した第二のサーモモジュール15と、この第二のサーモモジュール15の放熱側に伝熱的に接触した蒸発器16と、この蒸発器16内で気化した冷媒を排出する流出管17と、この流出管17と一体に形成され前記冷媒を凝縮させる凝縮器18と、この凝縮器18と一体に形成され前記凝縮した冷媒を前記蒸発器16に戻す流入管19とから構成されている。そして、前記第一の伝熱ブロック12の一部、第一のサーモモジュール13、第二の伝熱ブロック14、第二のサーモモジュール15、及び蒸発器16は、前記取付孔７内に配置されている。また、前記吸熱部11は、アルミニウム板を略逆Ｌ字状に折り曲げて形成されている。この吸熱部11の後部の板状部11Ａは、略垂直となるように取り付けられていると共に下端縁が略水平となるように形成されており、また、前記吸熱部11の上部11Ｂは、後方の板状部11Ａ側が僅かに低くなるように形成されている。また、前記板状部11Ａの直下に前記露受容器９が位置するように、前記位置決め部８が形成されていると共に、前記内容器４の下面から板状部11Ａの下端までの距離Ｌは、前記露受容器９の後部上縁９Ａの高さＨよりもやや長くなっている。更に、前記取付孔７と冷却機構10の間には、この冷却機構10を囲むように断熱体20が設けられている。
【００１５】
前記冷蔵庫本体２の正面側の開口部６には、枢動機構21を介して扉体22が開閉自在に取り付けられている。そして、この扉体22の前記冷蔵庫本体２側の外縁近傍には、冷蔵庫１内を密閉するマグネットパッキン23が設けられている。更に、前記冷蔵庫本体２の底部２Ａには、支持脚24が設けられている。この支持脚24は、高さが調節可能な前支持脚25と、高さが固定された後支持脚26とが、それぞれ左右に一対ずつ設けられている。なお、前記一対の前支持脚25同士の間隔は、前記一対の後支持脚26同士の間隔よりも狭く設けられていると共に、これらの前支持脚25及び後支持脚26は、前記冷蔵庫本体２に対して略左右対称となる位置に設けられている。
【００１６】
次に、本実施形態の作用について説明する。まず、冷蔵庫１の図示しない電源プラグを、同じく図示しないコンセントに差し込むことで、冷却機構10の第一のサーモモジュール13、第二のサーモモジュール15に電力が供給される。すると、前記第一のサーモモジュール13の庫内側から庫外側へ熱が移動させられると共に、前記第二のサーモモジュール15の庫内側から庫外側へ熱が移動させられる。即ち、前記第一のサーモモジュール13によって移動させられた熱が、この第一のサーモモジュール13の庫外側と熱的に接触する第二の伝熱ブロック14を経て、この第二の伝熱ブロック14と熱的に接触する第二のサーモモジュール15の庫内側へ移動し、更にこの第二のサーモモジュール15によってその庫外側へ移動させられると共に、この第二のサーモモジュール15の庫外側へ移動させられた熱が蒸発器16に移動し、この蒸発器16内の図示しない液体状の冷媒に気化熱として奪われた後、流出管17を経て凝縮器18に移動した気体状の冷媒がここで凝縮した際に、凝縮熱として凝縮器18外に放出される。そして、凝縮した液体状の冷媒は、流入管19を経て蒸発器16に戻る。また、前記第一のサーモモジュール13の庫内側の熱が庫外側に移動させられることで、この第一のサーモモジュール13の庫内側と熱的に接触している第一の伝熱ブロック12の熱が前記第一のサーモモジュール13に奪われ、これによって、この第一の伝熱ブロック12に熱的に接触している吸熱部11の熱が前記第一の伝熱ブロック12に奪われ、更に、これによって内容器４と扉体22によって区画された空間内（以下、内容器４内と略す）の空気の熱が前記吸熱部11に奪われる。従って、内容器４内の空気の熱が、吸熱部11、第一の伝熱ブロック12、第一のサーモモジュール13、第二の伝熱ブロック14、第二のサーモモジュール15、蒸発器16、流出管17を経て凝縮器18から冷蔵庫１の外部に放出されることになり、これによって内容器４内が冷却される。そして、前記扉体22を開いて前記内容器４内に被冷却物を収納することで、この被冷却物を冷却することができる。また、前記扉体22を開くことで、前記被冷却物を取り出すことができる。
【００１７】
そして、このように冷却機構10を駆動し続けると、前記内容器４内の空気が冷却されて、この空気に含まれる水分が吸熱部11の表面に水滴として凝縮する。そして、この凝縮した水滴が成長すると、吸熱部11から落下しやすくなる。なお、前記水滴のうち、略垂直に形成された吸熱部11の板状部11Ａに凝縮したものは、この板状部11Ａに沿って流下する。また、前記水滴のうち、後方の板状部11Ａ側が僅かに低く形成された吸熱部11の上部11Ｂに凝縮したものは、この上部11Ｂに沿って後方に流れ、更に前記板状部11Ａに沿って流下する。即ち、吸熱部11の表面に凝縮した水滴は、前記板状部11Ａに沿って流下する。そして、前記板状部11Ａに沿って流下した水滴は、板状部11Ａの下端から落下することになる。しかしながら、この板状部11Ａの直下には露受容器９が配されているため、落下した水滴は露受容器９によって受けられる。また、この露受容器９は、内容器４の底部から板状部11Ａの下端までの距離Ｌが、露受容器９の後部上縁９Ａの高さＨよりも長い、即ち容器位置決め部８に設置した状態において、後部上縁９Ａが前記板状部11Ａの下端よりもやや低くなるように形成されているため、水が溜まった状態で傾けずに前記板状部11Ａに接触させることなく内容器４の容器位置決め部８から取り外すことができるので、溜められた水をこぼす虞を少なくすることができる。また、仮に前記露受容器９に溜まった水がこぼれたり、前記板状部11Ａから落下した水が露受容器９から溢れたりしたとしても、容器位置決め部８自体が凹状に形成されているため、こぼれたり溢れたりした水が容器位置決め部８に溜められ、被冷却物を濡らす虞を少なくすることができる。
【００１８】
以上のように本発明は、冷蔵庫本体２の開口部６に扉体22を開閉自在に取り付け、前記冷蔵庫本体２の内容器４内に吸熱部11を露出した冷蔵庫１において、前記吸熱部11の下端近傍を略垂直な板状部11Ａとし、この板状部11Ａの直下に露受容器９を設け、この露受容器９の後部上縁９Ａの高さＨを前記内容器４の下面から板状部11Ａ下端までの距離Ｌよりも短く形成することで、前記吸熱部11表面に凝縮した水分が前記板状部11Ａから狭い範囲で落下して前記露受容器９内に溜められると共に、この露受容器９を取り外す際に、この露受容器９と前記板状部11Ａとが接触せず溜まった水をこぼさないようにできる。
【００１９】
また本発明は、前記内容器４下面の前記板状部11Ａと対向する位置近傍に、前記露受容器９を位置決めする容器位置決め部８を形成することで、前記露受容器９が前記板状部11Ａの直下に位置決めされて、前記板状部11Ａから落下した水を確実に受けることができる。
【００２０】
更に本発明は、前記容器位置決め部８を凹状に形成することで、前記露受容器９から水が溢れたとしても、前記容器位置決め部８に溜めて内容器４内の被冷却物を濡らさないようにすることができる。
【００２１】
なお、本発明は以上の実施形態に限定されるものではなく、発明の要旨の範囲内で種々の変形が可能である。例えば、本実施形態では、板状部の下端縁が水平となるように形成したが、この板状部の下端縁に下方に突出した部位を形成し、この部位に流下した水滴が集まって落下するように形成しても良い。
【００２２】
【発明の効果】
本発明の請求項１に記載の冷蔵庫は、開口部を有する冷蔵庫本体と、この冷蔵庫本体の開口部に開閉自在に取り付けられる扉体と、前記冷蔵庫本体の内容器内に露出して設けられる吸熱部とを有する冷蔵庫において、少なくとも前記吸熱部の下端近傍を略垂直な板状部とし、この板状部の下方に露受容器を設けると共に、この露受容器の後部の縁の最低高さを前記内容器の下面から板状部の下端までの距離以下としたものであり、前記吸熱部表面に凝縮した水分が略垂直の前記板状部から狭い範囲で落下し、この板状部の下方に設けられた前記露受容器内に溜められると共に、この露受容器を取り外す際に、この露受容器と前記板状部とが接触しないので、露受容器に溜まった水を捨てる際に冷蔵庫内の被冷却物を濡らしてしまう虞を少なくすることができる。
【００２３】
また、本発明の請求項２に記載の冷蔵庫は、請求項１において、前記内容器下面の前記板状部と対向する位置近傍に前記露受容器を位置決めする容器位置決め部を形成したものであり、前記露受容器が前記板状部の直下に位置決めされるので、板状部から落下する水滴を確実に受けることができる。
【００２４】
更に、本発明の請求項３に記載の冷蔵庫は、請求項２において、前記容器位置決め部が凹状に形成されているものであり、凝縮して前記板状部から落下した水が前記露受容器から溢れたとしても、前記容器位置決め部に溜められるので、冷蔵庫の被冷却物を濡らしてしまう虞をより低減させることができる。
【図面の簡単な説明】
【図１】本発明の一実施形態を示す冷蔵庫の正面図である。
【図２】同上、Ａ−Ａ’断面図である。
【図３】同上、要部の拡大断面図である。
【符号の説明】
１  冷蔵庫
２  冷蔵庫本体
４  内容器
４Ａ  底部
６  開口部
８  容器位置決め部
９  露受容器
９Ａ  後部上縁
11  吸熱部
11Ａ  板状部
22  扉体
【図１】
2004205121.tif 000003
【図２】
2004205121.tif 000004
【図３】
2004205121.tif 000005
【手続補正書】
【提出日】平成15年9月2日(2003.9.2)
【手続補正１】
【補正対象書類名】明細書
【補正対象項目名】０００３
【補正方法】変更
【補正の内容】
【０００３】
【特許文献１】
実開平５−９４６８６号公報


【手続補正２】
【補正対象書類名】明細書
【補正対象項目名】００１３
【補正方法】変更
【補正の内容】
【００１３】
【発明の実施形態】
以下、本発明の実施形態について、図１及び図３に基づいて説明する。１は冷蔵庫である。この冷蔵庫１を構成する冷蔵庫本体２は、鋼製の外殻体３と合成樹脂製の内容器４との間に発泡ウレタン等の断熱材５を充填して形成されている。また、前記冷蔵庫本体２は、正面側に開口部６が形成されていると共に、背面側に後述する冷却機構10を取り付けるための取付孔７が形成されている。更に、前記内容器４の底部４Ａの奥には、凹状の容器位置決め部８が形成されていると共に、この容器位置決め部８には露受容器９が載置可能に構成されている。なお、前記容器位置決め部８は、前記内容器４の幅方向に形成されていると共に、前記露受容器９は幅方向に長く且つ前記容器位置決め部８の幅よりも短く形成されている。更に、前記露受容器９の後部上縁９Ａは、ほぼ水平に形成されている。